(57)【要約】      （修正有）【課題】単体で持ち運びが可能な大きさの卓上ブックカレンダを、前面に広告用印刷面を有するスタンドに立てることにより、宣伝広告機能の豊富な卓上ブックカレンダを提供する。【解決手段】スタンド付き卓上ブックカレンダに次の手段を採用する。第１に、卓上ブックカレンダを単体で持ち運びが可能な大きさの中綴じ式のものとする。第２に、スタンド２は、前面に広告用印刷面１２，１３を有する前面板部３１と、背面板部とをほぼ平行となるよう曲折して両板部の間にカレンダ挟持部を形成したクリップと、Ｕ字状空部に該クリップが納まる大きさのＵ字状台座４とよりなる。第３に、カレンダ挟持部を、背面板部の内側に形成されるカレンダの見開きの角度に適合する凹部と、前面板部の内側中央でカレンダを押圧して挟持する凸片とで構成する。【選択図】図１
0003174548.tif 000002
【実用新案登録請求の範囲】
【請求項１】
卓上ブックカレンダと、該カレンダを立てた状態で支持することを可能とするスタンドよりなるスタンド付き卓上ブックカレンダであって、
前記卓上ブックカレンダが単体で持ち運びが可能な大きさの中綴じ式の卓上ブックカレンダであって、
前記スタンドが、
広告用印刷面を有する前面板部と背面板部とをほぼ平行となるよう曲折部にて曲折して両板部の内側空部にカレンダ挟持部を形成したクリップと、
Ｕ字状の内側に該クリップが納まる空部を形成したＵ字状台座とよりなるものであって、
前記カレンダ挟持部が、
前記背面板部の内側中央付近に前記カレンダの見開きの角度に適合する傾斜面となる凹部と、前記前面板部の内側中央に前記カレンダの中央下部を押圧する凸片とで構成されたものである広告用印刷面を前面に有するスタンド付き卓上ブックカレンダ。
【請求項２】
上記Ｕ字状台座が、
上記曲折部の左右端を中心に回動可能なるよう装着され、
上記スタンド使用時においては、上記カレンダを立てた状態で支持するに適するよう上記背面板部方向への回動が規制され、
上記スタンド未使用時においては、上記前面板部方向へ回動して上記クリップの外周に収納されるようにしたものである請求項１記載の広告用印刷面を前面に有するスタンド付き卓上ブックカレンダ。
【考案の詳細な説明】
【技術分野】
【０００１】
本考案は、広告用印刷面を前面に有するスタンド付き卓上ブックカレンダに関するものである。
【背景技術】
【０００２】
従来よりスタンドに立てた状態で使用する卓上カレンダの主たるものは、特許文献１の図８に従来例として示されるような、透明枠に月めくり片と言われるカード型カレンダを収納し、透明枠の後方の支持部材を切り起こして写真立てのように立てかけ、該透明枠に収納されている月めくり片を１ヶ月ずつ入れ替えるようにしたものであった。
【０００３】
しかし、この種のスタンドに立てた状態で使用する卓上カレンダでは、カレンダを単体で持ち運ぶ場合、月めくり片がばらばらになってしまい不便であった。そこで、持ち運びに便利であるいわゆるブック型カレンダやノートブック型カレンダと称されるカレンダを立てた状態で支持できる卓上カレンダの開発が望まれていた。
【０００４】
そこで特許文献１の図１に示されるような、卓上カレンダが提供されてきた。このカレンダは、形状を手のひらサイズの小型のブック型とし、かつ日付欄のみならずイラスト欄をも設けて装飾性を持たせ、表紙を硬質で厚みがある素材で形成し、かつブックの体裁を平綴じ及び上製として高級感を持たせ、更に、スタンドを使用してブック型カレンダが開かれた状態で保持されるようにしたものである。
【０００５】
特許文献１の図１に示される卓上カレンダにおいて使用されるスタンドは、全体の形状が山形状をなすよう厚紙をプレス裁断してなるもので、左右にブック型カレンダを立てかけるための約４０度の傾斜面（実際には傾斜辺である）を形成し、この傾斜面の下方両端部に突起を形成し、傾斜面と突起との間に、ブック型カレンダの厚さに適合する凹部を形成したものである。
【０００６】
特許文献１の図１に示されるようなブック型カレンダを上記スタンドに立てかけるには、ブック型カレンダの左右の欄を前記スタンドの左右の凹部に嵌め込み、表紙をスタンドの傾斜面に接するようにして立てかけるものであった。
【０００７】
卓上カレンダは宣伝広告用に用いられることが多い。その場合、カレンダの表面に広告が印刷される。できるならばカレンダのみならず、カレンダを立てるためのスタンドにも広告を印刷できることが好ましい。
【０００８】
しかし、特許文献１の図８に示されるスタンドや特許文献１の図１に示すスタンドでは、広告面を確保しようにも、それに適するスペースはカレンダの後方にしか存在せず、広告に適するスタンド前面にそのスペースが存在しない。スタンド前面にそのスペースを確保しようとするとスタンドが大型化するという問題があった。
【先行技術文献】
【特許文献】
【０００９】
【特許文献１】実用新案登録第３０６５７４９号登録実用新案公報
【考案の概要】
【考案が解決しようとする課題】
【００１０】
本考案は、次の課題を解決することを目的とする。
第１に、卓上カレンダを、単体で持ち運びが可能な大きさの中綴じ式の卓上ブックカレンダとして、ばらばらとならずに持ち運ぶことを可能とする。
第２に、スタンドを、前面に広告用印刷面を有するスタンドとする。
第３に、上記広告用印刷面に会社名やロゴマークや自社キャラクター等を印刷することを可能として、スタンド単体にも宣伝広告機能を持たせる。
第４に、簡単な構造で且つ、コンパクトなスタンド付き卓上ブックカレンダとする。
第５に、中綴じ式のブックカレンダであることを利用し、見開きの状態でスタンドのカレンダ挟持部に引っかかり易くする。
第６に、上記中綴じ式ブックカレンダの引っかかり易さとカレンダ挟持部の構造により、卓上ブックカレンダをしっかりと立たせることの可能なスタンド付き卓上ブックカレンダとする。
【課題を解決するための手段】
【００１１】
上記課題を解決するため、第１の考案は、広告用印刷面を前面に有するスタンド付き卓上ブックカレンダに次の手段を採用する。
第１に、卓上ブックカレンダと、該カレンダを立てた状態で支持することを可能とするスタンドよりなるスタンド付き卓上ブックカレンダである。
第２に、前記卓上ブックカレンダが単体で持ち運びが可能な大きさの中綴じ式の卓上ブックカレンダである。
第３に、前記スタンドが、広告用印刷面を有する前面板部と背面板部とをほぼ平行となるよう曲折部にて曲折して両板部の内側空部にカレンダ挟持部を形成したクリップと、Ｕ字状の内側に該クリップが納まる空部を形成したＵ字状台座とよりなるものである。
第４に、前記カレンダ挟持部が、前記背面板部の内側中央付近に前記カレンダの見開きの角度に適合する傾斜面となる凹部と、前記前面板部の内側中央に前記カレンダの中央下部を押圧する凸片とで構成されたものである。
【００１２】
第２の考案は、第１の考案における広告用印刷面を前面に有するスタンド付き卓上ブックカレンダに次の手段を付加したものである。
第１に、上記Ｕ字状台座が、上記曲折部の左右端を中心に回動可能なるよう装着される。
第２に、上記Ｕ字状台座が、上記スタンド使用時においては、上記カレンダを立てた状態で支持するに適するよう上記背面板部方向への回動が規制される。
第３に、上記Ｕ字状台座が、上記スタンド未使用時においては、上記前面板部方向へ回動して上記クリップの外周に収納されるようにしたものである。
【考案の効果】
【００１３】
本考案は、スタンドが前面に広告用印刷面を有するものとしているので、該印刷面に会社名やロゴマークや自社キャラクター等を印刷すれば、スタンド単体にも宣伝広告機能を持たせることができる。
【００１４】
本考案は、卓上ブックカレンダを単体で持ち運びが可能な大きさの中綴じ式の卓上ブックカレンダとしたので、カレンダの持ち運びが可能な上、中綴じ式のため卓上ブックカレンダを見開きの状態としてクリップに装着すれば、開かれたカレンダがスタンドのカレンダ挟持部に引っかかり易いものとなった。
【００１５】
本考案は、スタンドが、広告用印刷面を有する前面板部と背面板部とをほぼ平行となるよう曲折部にて曲折して両板部の内側空部にカレンダ挟持部を形成したクリップと、Ｕ字状の内側に該クリップが納まる空部を形成したＵ字状台座とよりなるものであるので、簡単な構造で且つ、コンパクトな広告用印刷面を有するスタンド付き卓上ブックカレンダとなった。
【００１６】
本考案は、カレンダ挟持部が、背面板部の内側中央付近にカレンダの見開きの角度に適合する傾斜面となる凹部と、前面板部の内側中央にカレンダの中央下部を押圧する凸片とで構成されたものであるので、卓上ブックカレンダをしっかりと立たせることが可能となった。
【００１７】
第２の発明の効果ではあるが、スタンドのＵ字状台座が、クリップの曲折部の左右端に、該左右端を中心に回動可能なるよう装着され、スタンド使用時においては、カレンダを立てた状態で支持するに適するよう上記背面板部方向への回動が規制され、スタンド未使用時においては、前面板部方向へ回動してクリップの外周に収納されるようにしたものであるので、回動という簡単な手段で、使用時に卓上ブックカレンダのスタンドとすることも、未使用時にコンパクトに折り畳むこともできるものとなった。
【００１８】
更に、第２の発明の効果ではあるが、Ｕ字状台座が、スタンド未使用時においては、前面板部方向へ回動してクリップの外周に収納されるようにしたものであるので、コンパクトに折り畳んだスタンドと卓上ブックカレンダとを共にポケットに入れて持ち運ぶことができるものとなった。
【図面の簡単な説明】
【００１９】
【図１】スタンド付き卓上ブックカレンダの使用状態を示す正面図
【図２】スタンドの使用時の状態を示す側面図
【図３】スタンドの使用時の状態を示す正面図
【図４】クリップのカレンダ挟持部にカレンダを挟持した状態を示す平面説明図
【図５】スタンドを折り畳んだ状態を示す正面図
【図６】スタンドの折り畳み途中を示す説明平面図
【図７】同側面図
【考案を実施するための形態】
【００２０】
以下、図面に従って、実施例と共に本考案を実施するための形態について説明する。本考案は広告用印刷面を有するスタンド付き卓上ブックカレンダであって、図１は、スタンド付き卓上ブックカレンダの使用状態を示す正面図であり、ブックカレンダ１と、ブックカレンダ１を立てた状態で支持することを可能とするスタンド２よりなる。
【００２１】
ブックカレンダ１は単体で持ち運びが可能な大きさである。実施例では、ブックカレンダ１のサイズは閉じた状態で縦１４８ｍｍ×横１０５ｍｍ×幅２ｍｍである。該サイズは、ポケットに入る便利なサイズである。
【００２２】
ブックカレンダ１は、図１に示されるように中綴じ式のものである。即ち、ブックカレンダ１は、見開き方向の中心位置縦方向２カ所に中綴じ針１１を用いて、見開き可能なブック型に綴じられたものである。ブックカレンダ１は、中綴じ針１１により中綴じとすることにより、ブックカレンダ１を見開いた状態で、後述するクリップ３のカレンダ挟持部３４に引っかかり易くなる。
【００２３】
ブックカレンダ１は、図１に示されるような各月表示部Ａ１２ページと、該当年及び次年の一覧表示部等（図示されていない）４ページの全１６ページよりなる。ブックカレンダ１の見開きの上部（ヘッダー）には、ロゴマーク、社名、ＵＲＬ等を掲載できる広告用印刷面１２を有する。尚、ブックカレンダ１は、この形式に限定されるものではなく、スケジュール帳として作成することも可能であり、単独で２ページの自社製品の広告ページを有するものとすることも可能である。
【００２４】
スタンド２は、図２に示されるようにクリップ３とＵ字状台座４とよりなる。
クリップ３は、一体ものである前面板部３１と背面板部３２とをほぼ平行となるよう曲折部３３にて曲折し、両板部３１、３２の内側空部にカレンダ挟持部３４を形成したものである。Ｕ字状台座４は、Ｕ字状の内側にクリップ３が納まる空部４２を形成したものである。空部４２は、図６に示される。
【００２５】
前面板部３１は、図１及び図５に示されるように前面が平板面でその中に広告用印刷面１３を有する。該印刷面１３には、ロゴマークや社名等がプリントされる。背面板部３２は、背面が平板面で、その外周辺が、後述するＵ字状台座４の空部４２内に納まる大きさ及び形状とされている。尚、前面板部３１の大きさは背面板部３２より若干小さいが、前面板部３１の外周辺が、Ｕ字状台座４のストッパー辺４１に当接する大きさ及び形状の辺として形成されている。
【００２６】
前面板部３１と背面板部３２の間は、カレンダ挟持部３４とされる。カレンダ挟持部３４は、少なくとも次の2つの構成を必要とする。第１は、図３、図４及び図６に示されるように背面板部３２の内側中央付近にブックカレンダ１の見開きの角度に適合する傾斜面となる凹部６１を形成する。第２は、図２、図４及び図７に示されるように前面板部３１の内側中央にブックカレンダ１の中央下部を凹部６１に向かって押圧する凸片５１を形成する。
【００２７】
図４に示すように凹部６１は、背面板部３２の内側中央部が一番凹むように形成される。背面板部３２の左右側方の四分の一あたりの位置から中央部に向かって凹む。凹部６１は、背面板部３２の上端付近から下方に位置するクリップ３の曲折部３３に届く長さで形成されている。
【００２８】
尚、ブックカレンダ１の挟持効率を上げるため、凹部６１の左右側には、補助凸片６２、６３が形成されている。補助凸片６２、６３は、クリップ３の前面板部３１の内側面に向かって、僅かに突出する、縦長の同じ突出幅を有するものである。実施例では、背面板部３２の上端付近からクリップの下方に位置する曲折部３３に届く長さで形成されている。凹部６１と補助凸片６２、６３とで、凹状湾曲部の大きさ（横方向の長さ）を大きく設定することを可能とする。
【００２９】
前面板部３１の内側中央に設けられる凸片５１は、クリップ３の背面板部３２の内側面に設けられる凹部６１中央に向かって突出する。凹部６１と凸片５１とで、ブックカレンダ１の中央下部を挟持する。ブックカレンダ１の前面板部３１側の主たる挟持部材は凸片５１であるが、凸片５１の左右には、補助凸片５２、５３が形成される。
【００３０】
凸片５１及び補助凸片５２、５３は、前面板部３側の凹状湾曲部に対応する凸状湾曲部を形成する。実施例では、凸片５１、補助凸片５２、５３はそれぞれ、前面板部３１の上端付近から下方に位置するクリップ３の曲折部３３に届く長さで形成されている。
【００３１】
前面板部３１に設けられる補助凸片５２、５３は、背面板部３２に設けられる補助凸片６２、６３より、それぞれ左右方向外側寄りにずらして設けられる。補助凸片５２と６２及び補助凸片５３と６３とでブックカレンダ１を挟持可能とするものである。
【００３２】
更に、ブックカレンダ１の挟持効率を上げるため、前面板部３１と背面板部３２が交わる曲折部３３付近の両板部３１，３２間に細い挟持スリット２１を残して側壁３５を形成し、該側壁３５の上方端部を挟持スリット２１に向かうガイド辺３６とした。ガイド辺３６は、挟持されるブックカレンダ１の先端部分を挟持スリット２１にスムーズにガイドするものである。
【００３３】
Ｕ字状台座４はＵ字状の内側にクリップ３が納まる空部４２が形成されている。Ｕ字状台座４は、クリップ３の曲折部３３の左右端を中心に回動可能なるようクリップ３に装着されている。スタンド２の未使用時においては、Ｕ字状台座４は前面板部３１の方向へ回動してクリップ３の外周に収納される。
【００３４】
既に述べているが、Ｕ字状台座４の上面内側には、前面板部３１の周辺に当接するストッパー辺４１が形成されてる。尚、ストッパー辺４１の両端部は、スタンド２の使用時、即ち、ブックカレンダ１を立てた状態で支持する際には、クリップ３の背面板部３２の背面が当接して、Ｕ字状台座４及びクリップ３の回動が規制されるストッパー部４３とされている。実施例では、スタンド２の使用時においては、クリップ３をＵ字状台座４に対し、やや後方へ傾斜する角度を設けて、回動が規制されるようになっている。
【００３５】
尚、Ｕ字状台座４の外周面及びクリップ３の曲折部３３は共に丸みを付けられて形成されている。従って、未使用時に、スタンド２とブックカレンダ１を分離した状態で持ち運んだとしても、ブックカレンダ１やスタンド２を傷を付けることのない広告用印刷面を有するスタンド付き卓上ブックカレンダとなった。
【符号の説明】
【００３６】
１・・・・・ブックカレンダ
２・・・・・スタンド
３・・・・・クリップ
４・・・・・Ｕ字状台座
１１・・・・中綴じ針
１２、１３・・・・広告用印刷面
２１・・・・挟持スリット
３１・・・・前面板部
３２・・・・背面板部
３３・・・・曲折部
３４・・・・カレンダ挟持部
３５・・・・側壁
３６・・・・ガイド辺
４１・・・・ストッパー辺
４２・・・・空部
４３・・・・ストッパー部
５１・・・・凸片
５２、５３・・・補助凸片
６１・・・・凹部
６２、６３・・・補助凸片
Ａ・・・・・各月表示部
0003174548.tif 000003
【手続補正書】
【提出日】平成24年1月26日(2012.1.26)
【手続補正１】
【補正対象書類名】図面
【補正対象項目名】全図
【補正方法】変更
【補正の内容】
【図１】
0003174548.tif 000004
【図２】
0003174548.tif 000005
【図３】
0003174548.tif 000006
【図４】
0003174548.tif 000007
【図５】
0003174548.tif 000008
【図６】
0003174548.tif 000009
【図７】
0003174548.tif 000010